(57)【特許請求の範囲】
【請求項１】
筐体を含み、前記筐体の中には洗浄空間が設置され、前記洗浄空間の後側内壁には入口が設置され、前記入口によって手術器具を前記洗浄空間の中に送ることができ、前記洗浄空間の中には手術器具を洗浄できる洗浄部品が設置され、前記洗浄部品は前記洗浄空間の中にスライド可能に装着された持ち上げスリーブを含み、前記持ち上げスリーブには回転台が回転可能に装着され、前記回転台は前記洗浄空間に入れられた手術器具を支持でき、さらに前記洗浄空間の中の水を撹拌することで手術器具についた異物を取り除き、前記洗浄空間の後側内壁には超音波発生器が固定的に装着され、前記超音波発生器は前記回転台にある手術器具をさらに洗浄でき、前記洗浄空間の右側には消毒空間が設置され、前記消毒空間と前記洗浄空間とは連通空間によって連通され、前記連通空間の頂壁には滑道が固定的に設置され、前記滑道には前記洗浄空間にある手術器具を前記消毒空間に送られる搬送部品が設置され、
前記消毒空間の中には手術器具を消毒し且つ選別することができる消毒部品が設置され、前記消毒部品は前記消毒空間の内壁に設置された紫外線発生器を含み、前記消毒空間の後側内壁には蒸気送入管が固定的に装着され、前記蒸気送入管から高温蒸気を入れられ、前記消毒空間の中には選別板が設置され、前記選別板は前記消毒空間に入れられた手術器具を選別でき、右方へ前記選別板を引くことで消毒し終えた器具を取り出せることを特徴とする口腔手術器具の洗浄消毒設備。
【請求項２】
前記洗浄部品はさらに前記洗浄空間の左側に設置された洗浄液保存空間を含み、前記洗浄液保存空間の底壁には前記洗浄空間と連通した連通管が設置され、前記連通管の中には制御弁が設置され、前記連通管と前記筐体の頂面とは入水管によって連通され、前記洗浄液保存空間の左側内壁には目盛りが固定的に装着され、前記洗浄液保存空間の中に洗浄剤があることを特徴とする請求項１に記載の口腔手術器具の洗浄消毒設備。
【請求項３】
前記洗浄空間の底壁の中には第一モータが固定的に装着され、前記第一モータの上下出力軸にはモータ軸が固定的に装着され、前記モータ軸の上側面には回転座が固定的に装着され、前記回転台の底面には引掛り溝が四つ形成されていることを特徴とする請求項１に記載の口腔手術器具の洗浄消毒設備。
【請求項４】
前記洗浄空間の底壁には前記筐体の左側面と連通した排水管が設置され、前記洗浄空間の下側にはプーリ空間が設置され、前記洗浄空間の左右内壁には前記洗浄空間と連通したスクリュー空間が設置され、前記持ち上げスリーブは前記スクリュー空間の中で上下にスライドでき、各前記スクリュー空間の上側内壁には下端が前記プーリ空間の下側内壁と回転可能に連結されたネジ山軸が回転可能に設置され、前記ネジ山軸が前記持ち上げスリーブとネジ山で連結され、各前記ネジ山軸には第一プーリが固定的に設置され、前記モータ軸が下方へ前記プーリ空間を貫通し、下側の前記モータ軸にはクラッチが固定的に装着され、前記モータ軸において前記プーリ空間に位置する部分には二つの第二プーリが固定的に設置され、前記第二プーリと前記第一プーリとの間にはベルトが伝動可能に装着されていることを特徴とする請求項１に記載の口腔手術器具の洗浄消毒設備。
【請求項５】
前記搬送部品は前記滑道の底面にスライド可能に装着されたスライド座を含み、前記スライド座には歯車空間が設置され、前記歯車空間の前側内壁には第二モータが固定的に装着され、前記第二モータの出力軸には歯車が固定的に装着され、前記滑道の底面にはラックが設置され、前記歯車が前記滑道の底面にあるラックと噛み合い、前記スライド座の底面には吸引台が固定的に装着され、前記吸引台には電磁石が固定的に装着されていることを特徴とする請求項１に記載の口腔手術器具の洗浄消毒設備。
【請求項６】
前記消毒部品は、二つの閉鎖門を含み、二つの前記閉鎖門はそれぞれ前記連通空間の前後壁にヒンジピンによって連結され、前後両側の前記閉鎖門には永久磁石が前後対称になるように且つ固定的に装着され、前後の前記永久磁石が互いに引き合うことができ、前記連通空間の前後内壁には二つの押し板が前後対称になるようにヒンジで装着され、前記押し板と前記連通空間の片側内壁との間には牽引ばねが固定的に装着されていることを特徴とする請求項１に記載の口腔手術器具の洗浄消毒設備。
【請求項７】
前記消毒空間と前記筐体の右側面との間にはスライド溝が三つ形成され、三つの前記スライド溝が連通し、前記筐体の右側面には前記スライド溝を閉鎖できるドアが三つ設置され、前記消毒空間には連結板がスライド可能に装着され、前記連結板と前記選別板とは前記スライド溝を通し、上側の前記選別板は下側の前記選別板よりメッシュが大きく、前記選別板の底面には振動器が固定的に装着され、前記消毒空間の底壁には加熱器が固定的に装着され、前記蒸気送入管が右方へ前記筐体の右側面を貫通していることを特徴とする請求項１に記載の口腔手術器具の洗浄消毒設備。
【発明の詳細な説明】
【技術分野】
【０００１】
本願発明は口腔分野を取り上げて、具体的には口腔手術器具の洗浄消毒設備である。
【背景技術】
【０００２】
経済の発展につれ、人々の生活水準が向上していき、特に食事面において、以前は腹を満たすことを目的とするが、段々と栄養バランスのとれた食事をすることが期待されてきた。現在、多くの病気が経口感染によって引き起こされるため、口腔の健康を重視すべきである。
現在、口腔疾患を患う人がますます多くなり、一部の口腔疾患に対して手術を施行する必要があり、また、手術後、使用済みの手術器具に消毒と洗浄処理を行わなければならない。既存の処理方法は機械処理と手動処理に分けられ、処理時に洗浄と消毒とを別々に行うため、処理中に二次汚染を引き起こす恐れがあり、また、洗浄や消毒の処理方法は比較的単一であり、処理効果がそれほど理想的ではない可能性もある。
【先行技術文献】
【特許文献】
【０００３】
【特許文献１】中国特許出願公開第１０５４９９２０９号明細書
【発明の概要】
【発明が解決しようとする課題】
【０００４】
本願発明は口腔手術器具の洗浄消毒設備を提供し、従来技術における上記欠点を解消することを目的とする。
【課題を解決するための手段】
【０００５】
本願発明の口腔手術器具の洗浄消毒設備は、筐体を含み、前記筐体の中には洗浄空間が設置され、前記洗浄空間の後側内壁には入口が設置され、前記入口によって手術器具を前記洗浄空間の中に送ることができ、前記洗浄空間の中には手術器具を洗浄できる洗浄部品が設置され、前記洗浄部品は前記洗浄空間の中にスライド可能に装着された持ち上げスリーブを含み、前記持ち上げスリーブには回転台が回転可能に装着され、前記回転台は前記洗浄空間に入れられた手術器具を支持でき、さらに前記洗浄空間の中の水を撹拌することで手術器具についた異物を取り除き、前記洗浄空間の後側内壁には超音波発生器が固定的に装着され、前記超音波発生器は前記回転台にある手術器具をさらに洗浄でき、前記洗浄空間の右側には消毒空間が設置され、前記消毒空間と前記洗浄空間とは連通空間によって連通され、前記連通空間の頂壁には滑道が固定的に設置され、前記滑道には前記洗浄空間にある手術器具を前記消毒空間に送られる搬送部品が設置され、
前記消毒空間の中には手術器具を消毒し且つ選別することができる消毒部品が設置され、前記消毒部品は前記消毒空間の内壁に設置された紫外線発生器を含み、前記消毒空間の後側内壁には蒸気送入管が固定的に装着され、前記蒸気送入管から高温蒸気を入れられ、前記消毒空間の中には選別板が設置され、前記選別板は前記消毒空間に入れられた手術器具を選別でき、右方へ前記選別板を引くことで消毒し終えた器具を取り出せる。
【０００６】
前述した技術プランに基づき、前記洗浄部品はさらに前記洗浄空間の左側に設置された洗浄液保存空間を含み、前記洗浄液保存空間の底壁には前記洗浄空間と連通した連通管が設置され、前記連通管の中には制御弁が設置され、前記連通管と前記筐体の頂面とは入水管によって連通され、前記洗浄液保存空間の左側内壁には目盛りが固定的に装着され、前記洗浄液保存空間の中に洗浄剤がある。
【０００７】
前述した技術プランに基づき、前記洗浄空間の底壁の中には第一モータが固定的に装着され、前記第一モータの上下出力軸にはモータ軸が固定的に装着され、前記モータ軸の上側面には回転座が固定的に装着され、前記回転台の底面には引掛り溝が四つ形成されている。
【０００８】
前述した技術プランに基づき、前記洗浄空間の底壁には前記筐体の左側面と連通した排水管が設置され、前記洗浄空間の下側にはプーリ空間が設置され、前記洗浄空間の左右内壁には前記洗浄空間と連通したスクリュー空間が設置され、前記持ち上げスリーブは前記スクリュー空間の中で上下にスライドでき、各前記スクリュー空間の上側内壁には下端が前記プーリ空間の下側内壁と回転可能に連結されたネジ山軸が回転可能に設置され、前記ネジ山軸が前記持ち上げスリーブとネジ山で連結され、各前記ネジ山軸には第一プーリが固定的に設置され、前記モータ軸が下方へ前記プーリ空間を貫通し、下側の前記モータ軸にはクラッチが固定的に装着され、前記モータ軸において前記プーリ空間に位置する部分には二つの第二プーリが固定的に設置され、前記第二プーリと前記第一プーリとの間にはベルトが伝動可能に装着されている。
【０００９】
前述した技術プランに基づき、前記搬送部品は前記滑道の底面にスライド可能に装着されたスライド座を含み、前記スライド座には歯車空間が設置され、前記歯車空間の前側内壁には第二モータが固定的に装着され、前記第二モータの出力軸には歯車が固定的に装着され、前記滑道の底面にはラックが設置され、前記歯車が前記滑道の底面にあるラックと噛み合い、前記スライド座の底面には吸引台が固定的に装着され、前記吸引台には電磁石が固定的に装着されている。
【００１０】
前述した技術プランに基づき、前記消毒部品は、二つの閉鎖門を含み、二つの前記閉鎖門はそれぞれ前記連通空間の前後壁にヒンジピンによって連結され、前後両側の前記閉鎖門には永久磁石が前後対称になるように且つ固定的に装着され、前後の前記永久磁石が互いに引き合うことができ、前記連通空間の前後内壁には二つの押し板が前後対称になるようにヒンジで装着され、前記押し板と前記連通空間の片側内壁との間には牽引ばねが固定的に装着されている。
【００１１】
前述した技術プランに基づき、前記消毒空間と前記筐体の右側面との間にはスライド溝が三つ形成され、三つの前記スライド溝が連通し、前記筐体の右側面には前記スライド溝を閉鎖できるドアが三つ設置され、前記消毒空間には連結板がスライド可能に装着され、前記連結板と前記選別板とは前記スライド溝を通し、上側の前記選別板は下側の前記選別板よりメッシュが大きく、前記選別板の底面には振動器が固定的に装着され、前記消毒空間の底壁には加熱器が固定的に装着され、前記蒸気送入管が右方へ前記筐体の右側面を貫通している。
【発明の効果】
【００１２】
本願発明は大量の異なる手術器具に対して洗浄と消毒処理を同時に行え、処理中に人力による介入操作が要らずに、二次汚染を引き起こすことはなく、また、洗浄と消毒の作業区域が仕切られてもよく、連通してもよく、磁力で引き合うことで手術器具を素早く手に取るまたは収納することができ、消毒時に手術器具を選別でき、その他、消毒区域を加熱して高温環境にし、そして手術器具を消毒区域に保存し、普及する価値がある。
【図面の簡単な説明】
【００１３】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本願発明の全体構成模式図
【図２】図２は図１におけるＡ―Ａ方向からの断面構成模式図
【図３】図３は図１におけるＢ―Ｂ方向からの断面構成模式図
【図４】図４は本願発明の選別板の上面構成模式図
【図５】図５は本願発明の回転座の上面構成模式図
【発明を実施するための形態】
【００１５】
図１〜５を参照し、本願発明の口腔手術器具の洗浄消毒設備は、筐体１０を含み、前記筐体１０の中には洗浄空間２５が設置され、前記洗浄空間２５の後側内壁には入口５７が設置され、前記入口５７によって手術器具を前記洗浄空間２５の中に送ることができ、前記洗浄空間２５の中には手術器具を洗浄できる洗浄部品８０が設置され、前記洗浄部品８０は前記洗浄空間２５の中にスライド可能に装着された持ち上げスリーブ２１を含み、前記持ち上げスリーブ２１には回転台２２が回転可能に装着され、前記回転台２２は前記洗浄空間２５に入れられた手術器具を支持でき、さらに前記洗浄空間２５の中の水を撹拌することで手術器具についた異物を取り除き、前記洗浄空間２５の後側内壁には超音波発生器５５が固定的に装着され、前記超音波発生器５５は前記回転台２２にある手術器具をさらに洗浄でき、前記洗浄空間２５の右側には消毒空間４８が設置され、前記消毒空間４８と前記洗浄空間２５とは連通空間３８によって連通され、前記連通空間３８の頂壁には滑道３１が固定的に設置され、前記滑道３１には前記洗浄空間２５にある手術器具を前記消毒空間４８に送られる搬送部品８１が設置され、
前記消毒空間４８の中には手術器具を消毒し且つ選別することができる消毒部品８２が設置され、前記消毒部品８２は前記消毒空間４８の内壁に設置された紫外線発生器４０を含み、前記消毒空間４８の後側内壁には蒸気送入管４１が固定的に装着され、前記蒸気送入管４１から高温蒸気を入れられ、前記消毒空間４８の中には選別板４３が設置され、前記選別板４３は前記消毒空間４８に入れられた手術器具を選別でき、
右方へ前記選別板４３を引くことで消毒し終えた器具を取り出せる。
【００１６】
前記洗浄部品８０はさらに前記洗浄空間２５の左側に設置された洗浄液保存空間２９を含み、前記洗浄液保存空間２９の底壁には前記洗浄空間２５と連通した連通管２６が設置され、前記連通管２６の中には制御弁２７が設置され、前記連通管２６と前記筐体１０の頂面とは入水管によって連通され、前記洗浄液保存空間２９の左側内壁には目盛り２８が固定的に装着され、前記洗浄液保存空間２９の中に洗浄剤があり、
前記入水管から清水を注ぎ、前記制御弁２７を作動させ、前記洗浄液保存空間２９にある洗浄剤が前記連通管２６を介して前記洗浄空間２５に流れ込み、そして前記洗浄空間２５にある手術器具を洗浄する。
【００１７】
前記洗浄空間２５の底壁の中には第一モータ１８が固定的に装着され、前記第一モータ１８の上下出力軸にはモータ軸１５が固定的に装着され、前記モータ軸１５の上側面には回転座１９が固定的に装着され、前記回転台２２の底面には引掛り溝２０が四つ形成され、前記引掛り溝２０と前記回転座１９とが互いに引掛ることができ、
前記第一モータ１８を作動させる時、前記第一モータ１８は前記回転座１９を回転させ、前記回転座１９は前記回転台２２を回転させ、そして前記回転台２２にある手術器具が動かされて洗浄される。
【００１８】
前記洗浄空間２５の底壁には前記筐体１０の左側面と連通した排水管１７が設置され、前記洗浄空間２５の下側にはプーリ空間１１が設置され、前記洗浄空間２５の左右内壁には前記洗浄空間２５と連通したスクリュー空間２３が設置され、前記持ち上げスリーブ２１は前記スクリュー空間２３の中で上下にスライドでき、各前記スクリュー空間２３の上側内壁には下端が前記プーリ空間１１の下側内壁と回転可能に連結されたネジ山軸１２が回転可能に設置され、前記ネジ山軸１２が前記持ち上げスリーブ２１とネジ山で連結され、各前記ネジ山軸１２には第一プーリ１３が固定的に設置され、前記モータ軸１５が下方へ前記プーリ空間１１を貫通し、下側の前記モータ軸１５にはクラッチ１６が固定的に装着され、前記モータ軸１５において前記プーリ空間１１に位置する部分には二つの第二プーリ５６が固定的に設置され、前記第二プーリ５６と前記第一プーリ１３との間にはベルト１４が伝動可能に装着され、
前記洗浄空間２５にある手術器具を洗浄し終えた後、前記クラッチ１６を制御して動力を伝達させ、前記第一モータ１８は前記第二プーリ５６を回転させ、前記第二プーリ５６が回転することで前記第一プーリ１３を回転させ、前記第一プーリ１３が回転することで前記持ち上げスリーブ２１を上昇させ、そして前記回転台２２にある手術器具も上昇する。
【００１９】
前記搬送部品８１は前記滑道３１の底面にスライド可能に装着されたスライド座３２を含み、前記スライド座３２には歯車空間３３が設置され、前記歯車空間３３の前側内壁には第二モータ３５が固定的に装着され、前記第二モータ３５の出力軸には歯車３４が固定的に装着され、前記滑道３１の底面にはラックが設置され、前記歯車３４が前記滑道３１の底面にあるラックと噛み合い、前記スライド座３２の底面には吸引台３６が固定的に装着され、前記吸引台３６には電磁石３７が固定的に装着され、
洗浄が終わった後、前記回転台２２が手術器具を押して上昇させ、そして前記電磁石３７に通電し、前記電磁石３７が前記回転台２２にある手術器具を吸引し、前記第二モータ３５を作動させ、前記第二モータ３５が前記歯車３４を回転させ、前記歯車３４が前記スライド座３２を駆動して右方へスライドさせ、前記電磁石３７にある手術器具が右側の前記消毒空間４８に送られる。
【００２０】
前記消毒部品は、二つの閉鎖門３９を含み、二つの前記閉鎖門３９はそれぞれ前記連通空間３８の前後壁にヒンジピンによって連結され、前後両側の前記閉鎖門３９には永久磁石５２が前後対称になるように且つ固定的に装着され、前後の前記永久磁石５２が互いに引き合うことができ、前記連通空間３８の前後内壁には二つの押し板５０が前後対称になるようにヒンジで装着され、前記押し板５０と前記連通空間３８の片側内壁との間には牽引ばね５１が固定的に装着され、
前記永久磁石５２で前記閉鎖門３９が常に前記連通空間３８を閉鎖でき、即ち前記連通空間３８の両側での作業を分けられ、前記スライド座３２が左右運動して前記閉鎖門３９を開けた後に、前記押し板５０によって前記閉鎖門３９は引き続き前記連通空間３８を閉鎖することができる。
【００２１】
前記消毒空間４８と前記筐体１０の右側面との間にはスライド溝４６が三つ形成され、三つの前記スライド溝４６が連通し、前記筐体１０の右側面には前記スライド溝４６を閉鎖できるドア４５が三つ設置され、前記消毒空間４８には連結板４９がスライド可能に装着され、前記連結板４９と前記選別板４３とは前記スライド溝４６を通し、上側の前記選別板４３は下側の前記選別板４３よりメッシュが大きく、前記選別板４３の底面には振動器４４が固定的に装着され、前記消毒空間４８の底壁には加熱器４７が固定的に装着され、前記蒸気送入管４１が右方へ前記筐体１０の右側面を貫通し、
前記蒸気送入管４１から高温蒸気を入れ、前記消毒空間４８にある手術器具を消毒し、前記紫外線発生器４０も紫外線を出すことで手術器具を消毒し、前記振動器４４が前記選別板４３を振動させ、前記選別板４３に置かれた手術器具が選別され、前記加熱器４７が熱量を生み出して加熱を行い、手術器具を取ろうとする時、前記ドア４５を開け、右方へ前記連結板４９または前記選別板４３を引き、ここで所要の手術器具を取り出せる。
【００２２】
洗浄待ちの手術器具を入口５７から洗浄空間２５に入れ、洗浄液保存空間２９に洗浄剤を添加し、入水管から清水を注ぎ、制御弁２７を作動させ、洗浄液保存空間２９にある洗浄剤が連通管２６を介して洗浄空間２５に流れ込み、そして洗浄空間２５にある手術器具を洗浄し、第一モータ１８を作動させ、第一モータ１８は回転座１９を回転させ、回転座１９は回転台２２を回転させ、そして回転台２２にある手術器具が動かされて洗浄され、超音波発生器５５が超音波を出すことで回転台２２にある手術器具に超音波洗浄を行い、洗浄空間２５にある手術器具を洗浄し終えた後、クラッチ１６を制御して動力を伝達させ、第一モータ１８は第二プーリ５６を回転させ、第二プーリ５６が回転することで第一プーリ１３を回転させ、第一プーリ１３が回転することで持ち上げスリーブ２１を上昇させ、そして回転台２２にある手術器具も上昇し、洗浄空間２５の中の水が排水管１７から排出され、そして電磁石３７に通電し、電磁石３７が回転台２２にある手術器具を吸引し、第二モータ３５を作動させ、第二モータ３５が歯車３４を回転させ、歯車３４がスライド座３２を駆動して右方へスライドさせ、電磁石３７についた手術器具が右側の消毒空間４８に送られ、連通空間３８を停電させ、ここで連通空間３８にある手術器具が選別板４３に落下し、
蒸気送入管４１から高温蒸気を入れ、消毒空間４８にある手術器具を消毒し、紫外線発生器４０も紫外線を出すことで手術器具を消毒し、振動器４４が選別板４３を振動させ、選別板４３に置かれた手術器具が選別され、加熱器４７が熱量を生み出して加熱を行い、手術器具を取ろうとする時、ドア４５を開け、右方へ連結板４９または選別板４３を引き、ここで所要の手術器具を取り出せ、
永久磁石５２で閉鎖門３９が常に連通空間３８を閉鎖でき、即ち連通空間３８の両側での作業を分けられ、スライド座３２が左右運動して閉鎖門３９を開けた後に、押し板５０によって閉鎖門３９は引き続き連通空間３８を閉鎖することができる。
【００２３】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【要約】
【課題】本願発明は口腔手術器具の洗浄消毒設備を開示した。
【解決手段】
筐体を含み、前記筐体の中には洗浄空間が設置され、前記洗浄空間の後側内壁には入口が設置され、前記入口によってより簡単に手術器具を前記洗浄空間の中に送ることができ、前記洗浄空間の中には手術器具を洗浄できる洗浄部品が設置され、本願発明は大量の異なる手術器具に対して洗浄と消毒処理を同時に行え、処理中に人力による介入操作が要らずに、二次汚染を引き起こすことはなく、また、洗浄と消毒の作業区域が仕切られてもよく、連通してもよく、磁力で引き合うことで手術器具を素早く手に取るまたは収納することができ、消毒時に手術器具を初歩的に選別でき、その他、消毒区域を加熱して高温環境にし、そして手術器具を消毒区域に保存できる。
【選択図】図１【図１】
0006789468.tif 000002
【図２】
0006789468.tif 000003
【図３】
0006789468.tif 000004
【図４】
0006789468.tif 000005
【図５】
0006789468.tif 000006